(57)【要約】【課題】薄型で取り扱いやすく且つ配置の自由度を向上させることができる照明装置を提供する。【解決手段】板形状の筐体２内に有機ＥＬ素子３を有する面発光体４が備えられ、筐体２の板厚を構成する部位に第１コネクタ５、第２コネクタ６及び第３コネクタ７が配置されている。これら第１コネクタ５、第２コネクタ６及び第３コネクタ７のいずれに電源ケーブル８の端部コネクタ９を連結しても、面発光体４の各有機ＥＬ素子３が電源ケーブル８を介して外部電源に接続され、外部電源により各有機ＥＬ素子３を発光させて照明が行われる。照明装置１の配置状況に応じて第１コネクタ５、第２コネクタ６及び第３コネクタ７の中から使用するコネクタを選択することができ、照明装置１の配置の自由度が向上する。【選択図】図１
2006324200.tif 000002
【特許請求の範囲】
【請求項１】
外部電源から電源ケーブルを介して供給される電力により照明を行う板形状の照明装置であって、
板形状の筺体と、
前記筺体内に配置された発光体と、
それぞれ前記筺体の板厚を構成する部位に配置されると共に前記発光体に接続され且つ前記電源ケーブルの端部コネクタが連結される２つ以上の筺体側コネクタと
を備え、前記端部コネクタを任意の前記筺体側コネクタに連結することにより前記電源ケーブルを介して前記発光体に電力が供給されることを特徴とする照明装置。
【請求項２】
前記筺体側コネクタに連結された前記端部コネクタにより前記筺体が支持される請求項１に記載の照明装置。
【請求項３】
前記筺体側コネクタを選択して前記端部コネクタを連結することにより前記筺体の支持角度が調整される請求項２に記載の照明装置。
【請求項４】
前記端部コネクタが連結された前記筺体側コネクタ以外の前記筺体側コネクタに接続ケーブルを介して他の照明装置の前記筺体側コネクタを連結することにより前記他の照明装置の発光体にも前記外部電源から前記電源ケーブルと前記接続ケーブルを介して電力が供給される請求項１〜３のいずれか一項に記載の照明装置。
【請求項５】
前記発光体は有機エレクトロルミネッセンス素子からなる請求項１〜４のいずれか一項に記載の照明装置。
【発明の詳細な説明】
【技術分野】
【０００１】
この発明は、照明装置に係り、特に外部電源から電源ケーブルを介して供給される電力により照明を行う板状の照明装置に関する。
【背景技術】
【０００２】
ハロゲン電球や放電ランプを光源として用いる従来の照明装置は、器具が大型化するだけでなく、発光に伴う発熱量が大きいために、取り扱いにくく、特に机上や手元、人物の顔等、所望の領域のみを部分的に照明する照明装置としては不向きであった。
これに対し、例えば特許文献１には、発光ダイオードを光源とし、支持部を介して天井等に回動自在に取り付けられる照明装置が開示されている。この照明装置は、発光ダイオードを用いたことにより、薄型化及び軽量化がなされると共に発光に伴う発熱量が小さいので、上述したような所望の領域を部分的に照明するのに適している。
【０００３】
【特許文献１】特開２００４−３４２３９２号公報
【発明の開示】
【発明が解決しようとする課題】
【０００４】
しかしながら、特許文献１の照明装置は、天井等に取り付けられるため、机上や手元、人物の顔等を自由に照明するには適したものではない。この照明装置を天井等に取り付けずに使用するとしても、電源供給用ケーブルが平板状の器具本体の背面に固定されているので、照明装置を机上等に載置した際に背面から電源供給用ケーブルを取り回さなければならず、照明装置の配置が電源供給用ケーブルによって制限を受けるという問題を生じてしまう。
【０００５】
この発明は、このような従来の問題点を解消するためになされたもので、薄型で取り扱いやすく且つ配置の自由度を向上させることができる照明装置を提供することを目的とする。
【課題を解決するための手段】
【０００６】
この発明に係る照明装置は、外部電源から電源ケーブルを介して供給される電力により照明を行う板形状の照明装置であって、板形状の筺体と、筺体内に配置された発光体と、それぞれ筺体の板厚を構成する部位に配置されると共に発光体に接続され且つ電源ケーブルの端部コネクタが連結される２つ以上の筺体側コネクタとを備え、電源ケーブルの端部コネクタを任意の筺体側コネクタに連結することにより電源ケーブルを介して発光体に電力が供給されるものである。
【０００７】
なお、筺体側コネクタに連結された電源ケーブルの端部コネクタにより筺体を支持するように構成することができる。この場合、電源ケーブルの端部コネクタを連結する筺体側コネクタを選択して端部コネクタを連結することによって筺体の支持角度を調整するように構成してもよい。
また、電源ケーブルの端部コネクタが連結された筺体側コネクタ以外の筺体側コネクタに接続ケーブルを介して他の照明装置の筺体側コネクタを連結することにより、他の照明装置の発光体にも外部電源から電源ケーブルと接続ケーブルを介して電力が供給されるようにすれば、ケーブルを煩雑にすることなく複数の照明装置を互いに連結して使用することができる。
発光体としては、有機エレクトロルミネッセンス素子を用いることができる。
【発明の効果】
【０００８】
この発明によれば、板形状の筺体の板厚を構成する部位に２つ以上の筺体側コネクタを配置し、電源ケーブルの端部コネクタを任意の筺体側コネクタに連結することにより電源ケーブルを介して筺体内の発光体に電力が供給されるように構成したので、薄型で取り扱いやすいだけでなく、配置の自由度が向上する。
【発明を実施するための最良の形態】
【０００９】
以下、この発明の実施の形態を添付図面に基づいて説明する。
実施の形態１
図１に実施の形態１に係る照明装置１の内部構成を示す。照明装置１は、板形状の筐体２内に６個の有機エレクトロルミネッセンス（以下適宜ＥＬと称する）素子３を有する面発光体４を備えている。また、筺体側コネクタとして、筐体２の両側端部のうちの一方に第１コネクタ５が、他方に第２コネクタ６が、筐体２の下端部に第３コネクタ７がそれぞれ配設されている。これら第１コネクタ５、第２コネクタ６及び第３コネクタ７は、いずれも第１ピンと第２ピンからなる２ピン構成のコネクタであり、それぞれのコネクタの第１ピンが正極用ピンとして用いられ、これら３つのコネクタの正極用ピンが筐体２内で正極線ＬＡにより互いに接続されると共に正極線ＬＡに面発光体４の各有機ＥＬ素子３の正極電極が接続されている。また、第１コネクタ５、第２コネクタ６及び第３コネクタ７の第２ピンは、それぞれ負極用ピンとして用いられ、これら負極用ピンが筐体２内で負極線ＬＣにより互いに接続されると共に負極線ＬＣに面発光体４の各有機ＥＬ素子３の負極電極が接続されている。
【００１０】
図２に示されるように、第１コネクタ５、第２コネクタ６及び第３コネクタ７は、それぞれ板形状の筐体２の板厚を構成する部位に配置されており、これらのコネクタのいずれかに電源ケーブル８の端部コネクタ９を連結することにより面発光体４の各有機ＥＬ素子３が電源ケーブル８を介して図示しない外部電源に接続される。従って、外部電源により各有機ＥＬ素子３を発光させて照明を行うことができる。
ここで、第１コネクタ５、第２コネクタ６及び第３コネクタ７は互いに並列に接続されているため、これらのコネクタのうちいずれに電源ケーブル８の端部コネクタ９を連結しても、面発光体４の各有機ＥＬ素子３と外部電源とが接続され、外部電源から各有機ＥＬ素子３に電力を供給することができる。すなわち、照明装置１の配置状況に応じて３つのコネクタ５〜７の中から使用するコネクタを選択することができ、照明装置１の配置の自由度が向上する。
例えば、図２に示されるように、スタンド１０によって筐体２を支持し、下方を向いた第３コネクタ７に電源ケーブル８の端部コネクタ９を連結して照明装置１を利用することもできる。
【００１１】
また、図３に示されるように、筐体２に支持板１１を取り付けて照明装置１を机上等に載置することもでき、この場合には、筐体２の側端部に配設された第２コネクタ６または第１コネクタ５に電源ケーブル８の端部コネクタ９を連結すればよい。なお、机の天板に電源ケーブル８の端部コネクタ９を通す開口部が形成されていれば、図３のように照明装置１を載置した状態で天板の下方から開口部を通して第３コネクタ７に電源ケーブル８の端部コネクタ９を連結することも可能となる。このようにすれば、電源ケーブル８が目立たなくなる。
【００１２】
さらに、図４に示されるように、机１２等に電源ケーブル８の端部コネクタ９を外方へ突出するように固定しておき、図５に示されるように、この端部コネクタ９に照明装置１の例えば第３コネクタ７を連結させることにより、筐体２を支持させることもできる。このような構成にすれば、筐体２を支持させるためのスタンド１０や支持板１１が不要になる。
【００１３】
実施の形態２
図６に実施の形態２に係る照明装置２１を示す。照明装置２１は、実施の形態１の照明装置１と同様に板形状の筐体２２内に６個の有機ＥＬ素子３を有する面発光体４を備えているが、筺体側コネクタとして、筐体２２の一方の側端部に第１コネクタ２３と第２コネクタ２４とが配設されている。これら第１コネクタ２３及び第２コネクタ２４は、いずれも第１ピンと第２ピンからなる２ピン構成のコネクタであり、それぞれのコネクタの第１ピンが筐体２２内で正極線ＬＡにより互いに接続されると共に正極線ＬＡに面発光体４の各有機ＥＬ素子３の正極電極が接続されている。また、第１コネクタ２３及び第２コネクタ２４の第２ピンが筐体２２内で負極線ＬＣにより互いに接続されると共に負極線ＬＣに面発光体４の各有機ＥＬ素子３の負極電極が接続されている。
従って、第１コネクタ２３及び第２コネクタ２４のいずれに電源ケーブル８の端部コネクタ９を連結しても、外部電源から各有機ＥＬ素子３に電力を供給して発光させることができる。
【００１４】
また、筐体２２には、ピン２５を介して回動自在に支持部材２６が取り付けられている。支持部材２６は、筐体２２にほぼ対応した大きさの平板形状を有すると共にその両側端部にそれぞれ形成されたサイド部材２７を有しており、各サイド部材２７の端部付近にそれぞれピン２５が配設されている。
そして、図６に示されるように、第１コネクタ２３及び第２コネクタ２４のいずれかに電源ケーブル８の端部コネクタ９を連結すると、端部コネクタ９が筐体２２から側方に突出するため、端部コネクタ９が支持部材２６のサイド部材２７の上縁部に当接したところで筐体２２がそれ以上支持部材２６側に回動することが阻止され、この状態で筐体２２が支持される。
【００１５】
ここで、第１コネクタ２３は、筐体２２の側端部において第２コネクタ２４よりもピン２５に近い位置に配置され、第２コネクタ２４はピン２５から遠い位置に配置されている。このため、図６に示されるように、第１コネクタ２３に電源ケーブル８の端部コネクタ９を連結したときには、筐体２２が角度θ１で支持されていたものが、図７に示されるように、第２コネクタ２４に電源ケーブル８の端部コネクタ９を連結すると、筐体２２が角度θ１より小さい角度θ２で支持されることとなる。このように、第１コネクタ２３及び第２コネクタ２４の双方から電源ケーブル８の端部コネクタ９を連結する筐体側コネクタを選択することにより、筐体２２の支持角度を調整して照明することが可能となる。
【００１６】
なお、筐体側コネクタは２つに限るものではなく、３つ以上の筐体側コネクタを筐体２２の側端部に配設して選択するようにすれば、支持角度をより細かく調整することができる。
また、筐体２２の両側端部にそれぞれ複数の筐体側コネクタを配設してもよい。
【００１７】
実施の形態３
図８に実施の形態３に係る照明装置３１の内部構成を示す。照明装置３１は、実施の形態１の照明装置１と同様に板形状の筐体３２内に６個の有機ＥＬ素子３を有する面発光体４を備えているが、筺体側コネクタとして、筐体３２の両側端部のうちの一方の側端部に第１コネクタ３３が、他方の側端部に第２コネクタ３４がそれぞれ配設されると共に、筐体３２の下端部に第３コネクタ３５と第４コネクタ３６が互いに並んで配設されている。これら第１コネクタ３３、第２コネクタ３４、第３コネクタ３５及び第４コネクタ３６は、いずれも第１〜第３ピンからなる３ピン構成のコネクタであり、それぞれのコネクタの第１ピンが筐体３２内で正極線ＬＡにより互いに接続されると共に正極線ＬＡに面発光体４の各有機ＥＬ素子３の正極電極が接続されている。また、第１コネクタ３３〜第４コネクタ３６の第２ピンが筐体３２内で負極線ＬＣにより互いに接続されると共に負極線ＬＣに面発光体４の各有機ＥＬ素子３の負極電極が接続されている。さらに、第１コネクタ３３〜第４コネクタ３６の第３ピンがそれぞれ他の照明装置のための連絡用ピンとして用いられ、これら連絡用ピンが筐体３２内で連絡用信号線ＬＭにより互いに接続されている。
【００１８】
このような構成の２つの照明装置Ｓ１及びＳ２を連結して外部電源に接続した状態を図９に示す。外部電源３７に電源ケーブル８を介して第１の照明装置Ｓ１の第１コネクタ３３が接続され、さらに第１の照明装置Ｓ１の第２コネクタ３４に接続ケーブル３８を介して第２の照明装置Ｓ２の第１コネクタ３３が接続されている。
外部電源３７は、第１の照明装置Ｓ１に対応した電流制御回路Ｄ１と第２の照明装置Ｓ２に対応した電流制御回路Ｄ２とを有しており、これら電流制御回路Ｄ１及びＤ２にＡＣ／ＤＣコンバータ３９を介して商用電源が接続される。また、外部電源３７は、３ピン構成の電源部コネクタ４０を有しており、第１ピンに電流制御回路Ｄ１の正極端子が、第２ピンに電流制御回路Ｄ１及びＤ２の負極端子が、第３ピンに電流制御回路Ｄ２の正極端子がそれぞれ接続されている。また、電流制御回路Ｄ１及びＤ２に第１の照明装置Ｓ１及び第２の照明装置Ｓ２による照明のＯＮ／ＯＦＦを行うと共に輝度を調整するための調節スイッチ４１が接続されている。
【００１９】
外部電源３７の電源部コネクタ４０と第１の照明装置Ｓ１の第１コネクタ３３とを接続する電源ケーブル８は３本の平行な信号線Ｌ１１〜Ｌ１３からなり、これらの信号線Ｌ１１〜Ｌ１３により電源部コネクタ４０の第１ピン〜第３ピンが第１の照明装置Ｓ１の第１コネクタ３３の第１ピン〜第３ピンにそれぞれ接続されている。
一方、第１の照明装置Ｓ１の第２コネクタ３４と第２の照明装置Ｓ２の第１コネクタ３３とを接続する接続ケーブル３８も３本の信号線Ｌ２１〜Ｌ２３からなり、これらのうち１本の信号線Ｌ２２によって第１の照明装置Ｓ１の第２コネクタ３４の負極用ピンである第２ピンと第２の照明装置Ｓ２の第１コネクタ３３の負極用ピンである第２ピンが互いに接続されている。ただし、残りの２本の信号線Ｌ２１及びＬ２３は互いに交差しており、第１の照明装置Ｓ１の第２コネクタ３４の正極用ピンである第１ピンは信号線Ｌ２１により第２の照明装置Ｓ２の第１コネクタ３３の連絡用ピンである第３ピンに接続され、第１の照明装置Ｓ１の第２コネクタ３４の連絡用ピンである第３ピンは信号線Ｌ２３により第２の照明装置Ｓ２の第１コネクタ３３の正極用ピンである第１ピンに接続されている。
【００２０】
以上のような構成の第１の照明装置Ｓ１及び第２の照明装置Ｓ２と電源ケーブル８及び接続ケーブル３８を使用することにより、第１の照明装置Ｓ１の面発光体４の各有機ＥＬ素子３の正極電極は、第１の照明装置Ｓ１の正極線ＬＡ、第１の照明装置Ｓ１の第１コネクタ３３の第１ピン、電源ケーブル８の信号線Ｌ１１及び電源部コネクタ４０の第１ピンを介して外部電源３７の電流制御回路Ｄ１の正極端子に接続される。一方、第２の照明装置Ｓ２の面発光体４の各有機ＥＬ素子３の正極電極は、第２の照明装置Ｓ２の正極線ＬＡ、第２の照明装置Ｓ２の第１コネクタ３３の第１ピン、接続ケーブル３８の信号線Ｌ２３、第１の照明装置Ｓ１の第２コネクタ３４の第３ピン、第１の照明装置Ｓ１の連絡用信号線ＬＭ、第１の照明装置Ｓ１の第１コネクタ３３の第３ピン、電源ケーブル８の信号線Ｌ１３及び電源部コネクタ４０の第３ピンを介して外部電源３７の電流制御回路Ｄ２の正極端子に接続される。
【００２１】
また、第１の照明装置Ｓ１の面発光体４の各有機ＥＬ素子３の負極電極と第２の照明装置Ｓ２の面発光体４の各有機ＥＬ素子３の負極電極は、第１の照明装置Ｓ１の負極線ＬＣ、第１の照明装置Ｓ１の第２コネクタ３４の第２ピン、接続ケーブル３８の信号線Ｌ２２、第２の照明装置Ｓ２の第１コネクタ３３の第２ピン及び第２の照明装置Ｓ２の負極線ＬＣを介して互いに接続され、さらに第１の照明装置Ｓ１の第１コネクタ３３の第２ピン、電源ケーブル８の信号線Ｌ１２及び電源部コネクタ４０の第２ピンを介して外部電源３７の電流制御回路Ｄ１及び電流制御回路Ｄ２の負極端子に接続される。
【００２２】
このため、第１の照明装置Ｓ１の面発光体４の各有機ＥＬ素子３に外部電源３７の電流制御回路Ｄ１から、第２の照明装置Ｓ２の面発光体４の各有機ＥＬ素子３に外部電源３７の電流制御回路Ｄ２から、それぞれ独立して定電流を供給してこれら面発光体４の各有機ＥＬ素子３を発光させることができる。一般に、有機ＥＬ素子は、駆動電流によってその輝度及び色度が決定されるという特性を有しているため、上述のように、第１の照明装置Ｓ１の面発光体４の各有機ＥＬ素子３と第２の照明装置Ｓ２の面発光体４の各有機ＥＬ素子３をそれぞれ専用の電流制御回路Ｄ１及びＤ２で駆動することにより、双方の照明装置Ｓ１及びＳ２の面発光体４の各有機ＥＬ素子３における輝度及び色度の均一化を図ることが可能となる。なお、外部電源３７の調節スイッチ４１を操作することにより、双方の照明装置Ｓ１及びＳ２の面発光体４の各有機ＥＬ素子３のＯＮ／ＯＦＦ制御と輝度の調整がなされる。
【００２３】
図１０に示されるように、電源ケーブル８と接続ケーブル３８を用いて第１の照明装置Ｓ１と第２の照明装置Ｓ２を数珠繋ぎに接続するので、ケーブルの配線が簡単化される。
なお、第１の照明装置Ｓ１と第２の照明装置Ｓ２は、互いに共通の構成を有しているので、これら照明装置の配置の順序を考慮する必要はない。すなわち、電源ケーブル８、第２の照明装置Ｓ２、接続ケーブル３８及び第１の照明装置Ｓ１の順序で接続してもよい。
【００２４】
第１の照明装置Ｓ１及び第２の照明装置Ｓ２は、それぞれ４つの筺体側コネクタを有しているので、外部電源３７と第１の照明装置Ｓ１及び第２の照明装置Ｓ２の接続に際し、いずれの筺体側コネクタを選択することもできる。例えば、第１の照明装置Ｓ１の第２コネクタ３４に電源ケーブル８を接続すると共に第１コネクタ３３に接続ケーブル３８を接続してもよい。同様に、接続ケーブル３８を第２の照明装置Ｓ２の第２コネクタ３４に接続することもできる。
また、第１の照明装置Ｓ１の第３コネクタ３５に電源ケーブル８の端部コネクタ９を接続すると共に、第１の照明装置Ｓ１の第４コネクタ３６と第２の照明装置Ｓ２の第３コネクタ３５との間に接続ケーブル３８を接続してもよい。
このように、各照明装置Ｓ１及びＳ２の配置の自由度が向上する。さらに、各照明装置Ｓ１及びＳ２の配置を変えた場合には、必要に応じて電源ケーブル８及び接続ケーブル３８に接続される筺体側コネクタを変えることにより、電源ケーブル８と接続ケーブル３８がからむような不具合を回避することができる。
【００２５】
なお、同様にして３つ以上の照明装置を連結して外部電源に接続することもできる。
また、この実施の形態３に係る照明装置３１は、４つの筺体側コネクタを備えていたが、これに限るものではなく、３つ、あるいは５つ以上の筺体側コネクタを有していてもよい。
【００２６】
上述した実施の形態１〜３では、発光体として６個の有機ＥＬ素子３を用いた照明装置について説明したが、有機ＥＬ素子３の個数は６個に限るものではなく、また有機ＥＬ素子以外に発光ダイオードその他各種の光源を使用することができる。
【図面の簡単な説明】
【００２７】
【図１】この発明の実施の形態１に係る照明装置の構成を示す回路図である。
【図２】実施の形態１に係る照明装置をスタンドに取り付けた状態を示す斜視図である。
【図３】実施の形態１に係る照明装置を机上に載置した状態を示す斜視図である。
【図４】実施の形態１に係る照明装置を机上に固定された端部コネクタに連結する状態を示す斜視図である。
【図５】実施の形態１に係る照明装置を机上に固定された端部コネクタに連結した状態を示す斜視図である。
【図６】実施の形態２に係る照明装置を示す斜視図である。
【図７】実施の形態２に係る照明装置の支持角度を変えた状態を示す斜視図である。
【図８】実施の形態３に係る照明装置の構成を示す回路図である。
【図９】実施の形態３に係る２つの照明装置を連結して外部電源に接続した状態を示す回路図である。
【図１０】実施の形態３に係る２つの照明装置を連結した状態を示す斜視図である。
【符号の説明】
【００２８】
１，２１，３１，Ｓ１，Ｓ２  照明装置、２，２２，３２  筐体、３  有機ＥＬ素子、４  面発光体、５，２３，３３  第１コネクタ、６，２４，３４  第２コネクタ、７，３５  第３コネクタ、８  電源ケーブル、９  端部コネクタ、１０  スタンド、１１  支持板、１２  机、２５  ピン、２６  支持部材、２７  サイド部材、３６  第３コネクタ、３７  外部電源、３８  接続ケーブル、３９  ＡＣ／ＤＣコンバータ、４０  電源部コネクタ、４１  調節スイッチ、Ｄ１〜Ｄｎ  電流制御回路、ＬＡ  正極線、ＬＣ  負極線、ＬＭ  連絡用信号線、Ｌ１１〜Ｌ１３，Ｌ２１〜Ｌ２３  信号線。
【図１】
2006324200.tif 000003
【図２】
2006324200.tif 000004
【図３】
2006324200.tif 000005
【図４】
2006324200.tif 000006
【図５】
2006324200.tif 000007
【図６】
2006324200.tif 000008
【図７】
2006324200.tif 000009
【図８】
2006324200.tif 000010
【図９】
2006324200.tif 000011
【図１０】
2006324200.tif 000012